(57)【要約】【課題】建造物の屋上や壁面、法面等の緑化に好適に用いることができる緑化用苔植物担持体を提供する。【解決手段】保水性を有するシート状の基材に蘇苔類植物の配偶体を載置し、その上に繊維からなるシートを被せ、上からニードルパンチを行い一体化することにより、構造的にも単純、安価で製造工程も簡単、かつ、植物への水分の供給が、保水性シートからロスなく良好に行われる蘇苔類植物担持体を提供することができる。また、保水性を有するシート状の基材に、樹脂を用いた発泡成形体を用いれば、保水性が良く、安価であるだけでなく、蘇苔類が生育した際、基材に根を張ることができ、蘇苔類植物が良好にシートに固定できる。また、繊維からなるシートに、水溶性繊維を混合しておけば、蘇苔類植物配偶体が脱落し易い配置初期において、水分により粘着性を発現するため、蘇苔類植物配偶体が担持体から脱落するのを防止することができる。【選択図】      図１
2004329002.tif 000002
【特許請求の範囲】
【請求項１】
保水性を有するシート状の基材と繊維からなるシートとの間に蘚苔類植物配偶体が載置され、ニードルパンチにより一体化されたことを特徴とする緑化用蘚苔類植物担持体。
【請求項２】
保水性を有するシート状の基材は、樹脂を用いた連続気泡を有する発泡成形体であることを特徴とする請求項１に記載の緑化用蘚苔類植物担持体。
【請求項３】
繊維からなるシートは、非水溶性繊維と水溶性繊維とが混合されていることを特徴とする請求項１または２に記載の緑化用蘚苔類植物担持体。
【請求項４】
繊維からなるシートは、繊維が絡み合ったワタ状の集合体であるウェッブであることを特徴とする水溶性請求項１〜３のいずれか１項に記載の緑化用蘚苔類植物担持体。
【発明の詳細な説明】
【０００１】
【発明の属する技術分野】
本発明は、建造物の屋上や壁面、道路構造物の壁面や法面等を蘚苔類植物により緑化するのに好適に用いることができる緑化用蘚苔類植物担持体およびその製造方法に関するものである。
【０００２】
【従来の技術】
夏場において、とりわけ大都市においては、都心の温度が郊外と比べ４〜６度も高くなる、いわゆるヒートアイランド現象が問題視されており、例えば東京都においては、既に条例により建造物の占める面積に対し、一定の割合で緑化を義
務づける条例が施工されている区も出てきている。
【０００３】
建造物において、緑化を行うのであれば、緑化が可能な部位は、屋上か壁面に限られる。これらの箇所に樹木や芝生等の土壌を必要とする植物を用いて緑化を行うのでは、屋上においては土壌の重量を建造物が支えることが出来ない場合には緑化できないということになり、壁面においては植栽枡を設ける等、複雑な機構を必要とするものとなる。
【０００４】
苔植物を用いて緑化を行うことで、従来用いられてきた例えば樹木や芝生、セダム等の多肉植物などとは異なり、殆ど土壌を必要とすることなく生育させて構造物の屋上や壁面等を緑地とすることができる、また、苔植物は、保水性が高く、保持した水分や、その水分の蒸散により、建造物の温度を下げてヒートアイランド現象の軽減を図ることができる。
【０００５】
また苔植物は乾燥状態が続いても仮死状態となるだけで枯死することがなく、降雨などにより再度水が与えられると再生することから潅水する必要がなく、従って潅水にかかわる設備も必要としない。さらには、光合成の効率も樹木や芝生と大差ないものであるから、炭酸ガスの固定化にも高いレベルで貢献できるものである。
【０００６】
これらの苔植物の特性を活用し、緑化に用いるべく種々の発明が提案されてきており、シート状やマット状に苔植物担持体を形成し、それらを屋上や壁面に取り付けたり、また苔植物を含有した塗料を、壁面や法面に吹き付けるといった方法が提案されてきている。  シート状やマット上の担持体の例としては、苔植物を紙繊維に固定した緑化用固定物（特許文献１）や、苔植物を基板平面状に縫製部によって固定した緑化用基板（特許文献２）、繊維性のシート間に蘚苔類を載置してニードルパンチによって、一体化した担持体（特許文献３）などが提案されている。  また、さらに苔植物を保持したシート上に空間部を設けて苔植物の生育を保護するように工夫されたものもある。（特許文献３）これらのシート状の緑化用固定物や緑化用シートは、対象物に貼着等により固定しておくことで容易に緑化が可能なものであり、屋上や壁面、法面等に好適に用いることができるものである。
【０００７】
特に、特許文献３に記載されているニードルパンチを用いる方法は、繊維性シート間に様々なものを挟持する手法として従来から使われており、これを蘚苔類植物に適用することで、縫製や粘着剤等がなくとも蘚苔類植物を良好に担持することができ、蘚苔類植物を傷つけたり害したりすることなく、生育するための間隙も十分にあり、外観も良好なシートを形成することができる。
【０００８】
【特許文献１】
特開平７―２２７１４２号公報
【特許文献２】
特開平７―２２７１４３号公報
【特許文献３】
特開２００２―１７１８３０号公報
【特許文献４】
特開２００２―１５３１２０号公報
【０００９】
【発明が解決しようとする課題】
しかしながら、シート状の蘚苔類植物担持体は施工や保守が簡便であるが、生育に必要な水分を確保する方法が課題であった。降雨のある期間は特別な手入れも必要なく生育するが、無降雨期間が続くと蘚苔類植物が壊死することはないが生育が止まってしまう。特に垂直壁面等に設置される場合は、水が溜まることもなく流出していくので、保水性が極めて小さく、植物の生育が著しく遅れてしまう。その水分を確保する方法としては、例えば定期的に散水を行ったり、灌漑設備を設置するなどが考えられるが、これらは人手やコストがかかり、また、施工場所が主に壁面や屋上であるため、利用は困難である。また、より簡便な方法として、保水シートをシートの下に敷く方法などが提案されているが、蘚苔類担持体と保水シートを貼り合わせる必要があったり、保水シートの水分がうまく植物に行き渡らない問題点などがあった。
【００１０】
そこで本発明は上記の如き問題点に鑑みてなされたものであり、建造物の屋上や壁面、法面等の緑化に好適に用いることができるシート状の緑化用蘚苔類担持体に簡単に保水性を付与することができ、かつ、蘚苔類植物に水分が良好に行き渡り、蘚苔類植物の生育を促すことのできる蘚苔類植物担持体を提供せんとするものである。
【００１１】
【課題を解決するための手段】
上記目的を達成するために、本発明は次のような構成としている。すなわち、保水性を有するシート状の基材と、繊維からなるシートとの間に蘚苔類植物配偶体が載置され、ニードルパンチにより一体化されたことを特徴とするものである。
【００１２】
保水性を有するシート状の基材に蘇苔類植物の配偶体を載置し、その上に繊維からなるシートを被せる。その繊維からなるシートの上からニードルパンチすることにより、基材と、蘇苔類植物の配偶体と、繊維からなるシートを平板状に一体化する。従来であれば、苔を固定化したシートの上または下に保水性のシートを積層しており、植物との接触が悪く、水分の補給にロスが生じていたが、本発明品によれば、保水性を有する基材が蘇苔類植物に直接的に接触しており、蘇苔類植物への水分の供給が、ロスなく良好に行われる。また、保水材が基材を兼ねており、構造的にも単純で安価であり、シートの形成時に、保水材も同時に一体化するため、製造工程も簡単である。シートどうしを貼りあわせる接着剤等も不要であるため、剥がれる心配もなく、薬品が流出して植物に悪影響を及ぼす心配もない。
【００１３】
蘇苔類植物配偶体の上に被覆する繊維シートの繊維の目付け量は、１０〜１００ｇ／平方メートルが好ましく、さらには、３０〜５０ｇ／平方メートルが、好ましい。繊維の目付け量が小さすぎると、繊維間の間隙が大きくなり、基材と繊維シートとの間に載置された蘇苔類植物が、脱落しやすい。逆に目付け量が大きすぎると間隙が少なくなり、蘇苔類植物の生育を阻んでしまったり、植物に十分に太陽光が当たらなかったりするため、好ましくない。
【００１４】
また、ニードルパンチの密度は、蘇苔類植物が十分に固定されれば良く、特に限定されるものではないが、１０〜７０回／平方センチメートル程度が好ましい。ニードルパンチの回数が多すぎると、蘇苔類植物を傷める場合がある。また、少なすぎると、十分に蘇苔類植物が固定できずに、脱落する恐れがある。
【００１５】
また、保水性を有するシート状の基材は、樹脂を用いた連続気泡を有する発泡成形体であることを特徴とするである。
【００１６】
樹脂製の連続気泡を有する発泡成形体は、保水性が良く、比較的安価であるため、基材兼保水材として好適である。発泡基材であるので、蘇苔類が生育した際、基材に根を張ることができ、蘇苔類植物が良好にシートに固定できる。発泡成形体の素材は特に限定されるものではないが、例えばポリウレタンフォーム、ポリエチレンフォーム、ゴム製スポンジ、ポロン等が好適に用いられる。
【００１７】
また、繊維からなるシートは、非水溶性繊維と水溶性繊維とが混合されていることを特徴とするものである。
【００１８】
上部に被せる繊維からなるシートに、水溶性繊維が含まれていると、蘇苔類植物配偶体が脱落し易い配置初期において、水分を供給することにより、水溶性繊維の一部が溶解し、粘着性を発現するため、蘇苔類植物配偶体が担持体から脱落するのを防止することができる。また水溶性繊維は、時間と共に雨水等で流されて消失するため、繊維の目が適度に粗くなり、蘇苔類植物がシートの網目を通りやすくなっており、蘇苔類植物の生育を妨げない。また、繊維シートに非水溶性繊維を含ませているので、雨等で水溶性物質が完全に流されてしまっても、繊維は残るため、蘇苔類植物の脱落を長期に渡り防ぐことが出来る。
【００１９】
水溶性繊維の配合量は、繊維シートの繊維量の２０〜８０パーセント程度が好ましく、さらには、４０〜６０パーセントが好ましい。水溶性繊維の配合量が大きすぎると、水溶性繊維が溶解した後に、蘇苔類植物を担持する繊維が少なくなるため、蘇苔類植物が脱落しやすくなる。また、配合量が小さいと、水溶性繊維の粘着性が十分に発現しない。また、繊維溶解後の繊維の間隙が小さく、植物の生育に影響を及ぼす可能性がある。水溶性繊維は特に限定されるものではないが、ポリビニルアルコール（ＰＶＡ）が好適である。ポリビニルアルコールは、水溶したときに中性を示し、蘇苔類植物の生育に害を与えることが無いため、好適である。また、非水溶性繊維は、特に限定されるものではなく、例えば、レーヨンなどの合成繊維でもよいし、天然繊維や、それらの混合繊維でもよい。
【００２０】
また、繊維からなるシートは、繊維が絡み合ったワタ状の集合体であるウェッブであることを特徴とするものである。
【００２１】
【発明の実施の形態】
本発明に係わる実施の形態について、図面に基づき以下に具体的に説明する。図１は、本発明の苔植物担持体の実施の一形態を示す説明図である。保水性を有するシート状の基材１と繊維からなるシート２との間に、適度に裁断された蘇苔類植物配偶体３が載置され、繊維からなるシート側から、ニードルパンチされることにより、一体化されている。その断面図を図２に示す。
【００２２】
保水性を有するシート状の基材には、樹脂発泡成形シートが好適に用いられ、例えばポリウレタンフォーム、ポリエチレンフォーム、ゴムスポンジ、ポロン等がよい。また、繊維からなるシートの素材は、例えばレーヨンなどの合成繊維でもよいし、天然繊維や、それらの混合繊維でもよい。また、繊維のシートには、水溶性繊維が混合されていてもよい。水溶性繊維には、ＰＶＡが好適に用いられる。
【００２３】
また、繊維からなるシートは、繊維が絡み合ったワタ状の集合体であるウェッブであってもよく、ウェッブはワタ状であるのでニードルで突いたときに、繊維が植物や基材に入り込みやすく、しっかりと蘇苔類植物を固定することが出来る。また、間隙も細かく十分にできるため、生育を阻害しない。
【００２４】
蘇苔類植物配偶体の上に被覆する繊維シートの繊維の目付け量は、１０〜１００ｇ／平方メートルが好ましく、さらには、３０〜５０ｇ／平方メートルが、好ましい。繊維の目付け量が小さすぎると、繊維間の間隙が大きくなり、基材と繊維シートとの間に載置された蘇苔類植物が、脱落しやすい。逆に目付け量が大きすぎると間隙が少なくなり、蘇苔類植物の生育を阻んでしまったり、植物に十分に太陽光が当たらなかったりするため、好ましくない。
【００２５】
また、ニードルパンチの密度は、蘇苔類植物が十分に固定されれば良く、特に限定されるものではないが、１０〜７０回／平方センチメートル程度が好ましい。ニードルパンチの回数が多すぎると、蘇苔類植物を傷める場合がある。また、少なすぎると、十分に蘇苔類植物が固定できずに、脱落する恐れがある。ニードルパンチの回数は、針形状を変えることによっても、少ない回数で、しっかりと固定することができる。
【００２６】
また、用いられる蘇苔類植物は、特に限定されるものではないが、設置場所によって使い分けるとよい。蘇苔類には大きく分けて、好日性、半日陰性、日陰性のものがあり、それぞれ生育に太陽光が必要なもの、太陽光があまり必要でないもの、太陽光が不要なものがある。例えば、設置方向の関係で太陽光が当たらない場所や、当たりにくい場所には、日陰性、半日陰性の蘇苔類植物を用いると良い。また、凸部の下向き斜面など、部分的に日が当たらないような設置場所においても、上向き面には、好日性のものを用い、下向き斜面には日陰性や半日陰性のものを用いればよい。例えば、スナゴケ、ハイスナゴケ、ハイゴケ等は、太陽光が当たるところで用いるとよく、シッポゴケ、カモジゴケ、トヤマシノブゴケ、ヒノキゴケ等は、日陰で用いるのがよい。
【００２７】
また、蘇苔類植物を担持した担持体に、人工芝のパイルを直接タフティングしてもよく、このようにすることによって、蘇苔類が十分に生育する前でも見た目が青々とした良好な外観を具備させることができる。また、人工芝を取り付けることで、蘇苔類植物への外力からの保護、乾燥の抑制、風からの保護等を図ることができ、蘇苔類植物の定着や生育を促進することができる。また、担持体を貫くように人工芝のパイルを直接タフティングしているので、担持体を強固に挟み込むことができ、担持体の剥がれ、蘇苔類植物配偶体の脱落や偏りを防ぐことができる。また、人工芝用の基材を別に取付けることも不要であるから、材料費も安価に蘇苔類植物の保護や見た目の向上をはかることが出来る。また、人工芝に生分解性をもたせておいてもよい。人工芝を形成する材料に生分解性を有するものを用いれば、蘇苔類植物が十分に発育したときに、人工芝が消滅するようにすることもできる。蘇苔類植物が十分に発育すれば、人工芝の役割である美観性の維持や苔植物の保護、苔植物の担持などが不要になる。
【００２８】
【発明の効果】
本発明によれば、保水性を有するシート状の基材に蘇苔類植物の配偶体を載置し、その上に繊維からなるシートを被せ、上からニードルパンチすることにより、一体化すれば、構造的にも単純、安価で製造工程も簡単、かつ、植物への水分の供給が、保水性シートからロスなく良好に行われる蘇苔類植物担持体を提供することが出来る。また、保水材が基材を兼ねており、シートどうしを貼りあわせる接着剤等も不要であるため、剥がれる心配もなく、薬品が流出して植物に悪影響を及ぼす心配もない。
【００２９】
また、保水性を有するシート状の基材に、樹脂を用いた発泡成形体を用いれば、保水性が良く、安価であるだけでなく、蘇苔類が生育した際、基材に根を張ることができ、蘇苔類植物が良好にシートに固定できる。
【００３０】
また、繊維からなるシートに、水溶性繊維を混合しておけば、蘇苔類植物配偶体が脱落し易い配置初期において、水分を供給することにより、水溶性繊維の一部が溶解し、粘着性を発現するため、蘇苔類植物配偶体が担持体から脱落するのを防止することができる。また水溶性繊維は、時間と共に雨水等で流されて消失するため、繊維の目が適度に粗くなり、蘇苔類植物がシートの網目を通りやすくなっており、蘇苔類植物の生育を妨げない。また、繊維シートに非水溶性繊維を含ませているので、雨等で水溶性物質が完全に流されてしまっても、繊維は残るため、蘇苔類植物の脱落を長期に渡り防ぐことが出来る。
【００３１】
また、繊維からなるシートに、繊維が絡み合ったワタ状の集合体であるウェッブを用いれば、ニードルで突いたときに、繊維が植物や基材に入り込みやすく、しっかりと蘇苔類植物を固定することが出来る。また、間隙も細かく十分にできるため、生育を阻害しない。
【図面の簡単な説明】
【図１】本発明に係わる実施の一形態を示す説明図である。
【図２】本発明に係わる実施の一形態を示す断面図である。
【符号の説明】
１    保水性を有する基材
２    蘇苔類植物担持体
３    繊維からなるシート
【図１】
2004329002.tif 000003
【図２】
2004329002.tif 000004